(57)【特許請求の範囲】
【請求項１】
開閉できる戸やシヤッター等を備えた各種建家の窓部分、或は、背丈の低い間仕切りやブロック塀等のような各種離隔部材の各内側に、少くともチケットを発行したり、チケットを用いて料金を精算したりするチケット取扱い機能を備え、且つ、これ等チケットを発行したり料金を精算したりする接客操作部を機体の上部前面に設けると共に、この接客操作部を前方に開いてメンテナンスや売上金の回収を行うように構成したチケット取扱い機を配置して、利用客によるチケットの取扱いや料金の精算をガラス戸やシヤッター等を開けた窓越し或は離隔部材越しに行うように構成したチケット取扱い装置であって、
上記窓部又は離隔部材の内側下側部分に移動用の車輪とスライドレールを取付けたベース体を設け、このベース体の上面部には、上記のチケット取扱い機をその接客操作部が上記窓部の部分又は離隔部材の上側部分に突出或は近接する接客位置と、上記の接客操作部をこれ等窓部又は離隔部材に邪魔されずに開閉できる後退位置とに切換えて移動できるように、上記のスライドレールに対して直接又はスペースブロックを介して移動自在に取付けて搭載せしめると共に、上記のベース体又はチケット取扱い機側のいずれか一方又は双方に、チケット取扱い機を前記の接客位置と後退位置とに夫々固定することができる固定部材を設け、上記ベース体の両側にはチケット取扱い機の転倒を防止する補助板を取付け、且つ、これ等補助板の床面又は路面に対する取付け高さを調節可能に構成して、上記チケット取扱い機の移動時には、上記移動用の車輪を用いてベース体をチケット取扱い機と一体に、又は、別々に移動し、設置時には、床面又は路面に対する補助板の取付け高さを調節することを特徴とするチケット取扱い装置。
【請求項２】
前記の補助板は、断面略Ｌ字状に形成されていて、上記チケット取扱い機の設置時には、アンカーボルトを用いて床面等のベース面側に固定自在に構成されていることを特徴とする請求項１に記載のチケット取扱い装置。
【発明の詳細な説明】
【０００１】
【発明の属する技術分野】
本発明は、各種のチケットを発行したり、チケットを用いて各種の料金を精算する機能を備えたチケット取扱い装置に関し、具体的には、比較的狭い施設内等に設置して有効に使用できるように工夫したチケット取扱い装置に関するものである。
【０００２】
【従来の技術】
例えば、実公平６−１５３３８号公報等に見られる駐車料金精算機のように、車両を入庫させる時に受け取った駐車券を挿入すると、駐車料金の計算とその精算を行うように構成したチケット取扱い機は、通常の場合、利用客による精算操作をスムーズに行えるように車両を出庫させる出庫通路に面して設置されている。また、各種会場の施設等への入出場をチケットで管理するチケット取扱い機に関しても、入場者又は退出者が通行する通路に面して設置されていて、施設等に対する入退を管理するように構成されている。
【０００３】
以上の如く構成された各種のチケット取扱い機に於いて、設置スペースの面、並びに、徴収した料金の管理面等の理由から、チケット取扱い機を各種施設や管理室と言った建家の内部に設置したり、車両の出庫通路や入退者用歩行通路とチケット取扱い機との間に、間仕切りやブロック塀等のような離隔部材を設けたりして、建家の窓越し或は離隔部材越しにチケットの取扱いや料金の精算等を行なう場合がある。
【０００４】
図７は、上記従来の使用例の構成を説明したものであって、図中、ＳＭは自動料金精算機のようなチケット取扱い機、ＢＷはこのチケット取扱い機ＳＭを設置したベース、ＳＤはチケットを発行したり料金を精算したりする接客装置（図示省略）を前面に設けた接客部で、チケット取扱い機ＳＭはこの接客部ＳＤを利用客側に面した状態でベースＢＷ側に据え付けられ、また、メンテナンスや売上金の回収は、この接客部ＳＤを図示の如く前面側に開くことによって行う仕組に成っている。
【０００５】
【発明が解決しようとする課題】
ところが、上記従来のチケット取扱い機ＳＭは、利用客が操作しやすいようにその接客部ＳＤをなるべく利用客側に近付けた位置状態、即ち、前記各種建家の窓枠部分や離隔部材等ＭＫの上側部に突出させたり、或は、これ等窓枠や離隔部材等ＭＫの内側になるべく近接した位置状態に設置する必要があるが、これをあまり近付け過ぎると、図７に示すように接客部ＳＤが上記窓枠や離隔部材ＭＫに当って十分に開放できなくなるため、この接客部ＳＤを開閉するスペースを前面側にあけて設置する必要があり、その結果、これ等窓枠や離隔部材ＭＫが邪魔に成ったり十分に手が届かなかったりして、利用客によるチケットの取扱いや料金の精算等に支障を来たしてしまう場合があった。
【０００６】
また、前述した実公平６−１５３３８号公報に見られるように、チケット取扱い機（駐車料金精算機）を移動及び回転可能に構成することによって、上述した諸問題を解決することも考えられたが、しかし、上記公報に記載されているものは、駐車場出庫口の料金精算車両の増加にともない、有人式として操作しやすい位置と方向に駐車料金精算機を移動回転でるようにしたものであって、駐車料金精算機を各種施設の建家や離隔部材の内側に設置して使用する場合を想定して考案されたものではないため、そのままでは、利用客が窓越しや離隔部材越しに行うチケットの取扱い操作や料金の精算操作に支障を来たす場合があって、実用性に欠ける問題があった。
【０００７】
更に、上記公報に記載されている装置は、コンクリート路面にガイドレールを埋設し、このガイドレールでローラをガイドしながら機体底部に取付けたキヤスターで前後移動させる構成であって、設置場所を一度決めたらチケット取扱い機を別の場所に移動することができないため、例えば、開催するイベントに応じてチケット取扱い機を含めた全ての設備をレイアウトする様な催し物会場等での利用には不向きであった。
【０００８】
従って本発明の技術的課題は、各種施設の建家の内部や、間仕切りやブロック塀等のような離隔部材の内側に設置しても、利用客によるチケットの取扱いや料金の精算等の各種の操作を円滑に行わせることができ、また、接客操作部を開いて行うメンテナンスや料金の回収作業も容易に行うことができると共に、設置場所の移設も極めて簡単に行えるように工夫したチケット取扱い装置を提供することである。
【０００９】
【課題を解決するための手段】
（１）  上記の技術的課題を解決するために、本発明では前記請求項１に記載の如く、開閉できる戸やシヤッター等を備えた各種建家の窓部分、或は、背丈の低い間仕切りやブロック塀等のような各種離隔部材の各内側に、少くともチケットを発行したり、チケットを用いて料金を精算したりするチケット取扱い機能を備え、且つ、これ等チケットを発行したり料金を精算したりする接客操作部を機体の上部前面に設けると共に、この接客操作部を前方に開いてメンテナンスや売上金の回収を行うように構成したチケット取扱い機を配置して、利用客によるチケットの取扱いや料金の精算をガラス戸やシヤッター等を開けた窓越し或は離隔部材越しに行うように構成したチケット取扱い装置であって、
上記窓部又は離隔部材の内側下側部分に移動用の車輪とスライドレールを取付けたベース体を設け、このベース体の上面部には、上記のチケット取扱い機をその接客操作部が上記窓部の部分又は離隔部材の上側部分に突出或は近接する接客位置と、上記の接客操作部をこれ等窓部又は離隔部材に邪魔されずに開閉できる後退位置とに切換えて移動できるように、上記のスライドレールに対して直接又はスペースブロックを介して移動自在に取付けて搭載せしめると共に、上記のベース体又はチケット取扱い機側のいずれか一方又は双方に、チケット取扱い機を前記の接客位置と後退位置とに夫々固定することができる固定部材を設け、上記ベース体の両側にはチケット取扱い機の転倒を防止する補助板を取付け、且つ、これ等補助板の床面又は路面に対する取付け高さを調節可能に構成して、上記チケット取扱い機の移動時には、上記移動用の車輪を用いてベース体をチケット取扱い機と一体に、又は、別々に移動し、設置時には、床面又は路面に対する補助板の取付け高さを調節することを特徴としている。
【００１０】
（２）  また、本発明では前記請求項２に記載の如く、前記の補助板は、断面略Ｌ字状に形成されていて、上記チケット取扱い機の設置時には、アンカーボルトを用いて床面等のベース面側に固定自在に構成されていることを特徴としている。
【００１１】
上記（１）で述べた請求項１に係る手段によれば、ベース体に搭載したチケット取扱い機を、その接客操作部がガラス戸やシヤッター等を開けた各種建家の窓部分、或は、背丈の低い間仕切りやブロック塀等の離隔部材の上側部分に突出するか、又は、これ等窓や近接する接客位置に移動すれば、接客操作部を利用客の通路側に面した状態にセットできるため、これ等各窓越し或は離隔部材越しにチケットの取扱いや料金の精算を行うことができ、また、このチケット取扱い機を後退位置に移動すれば、窓枠や離隔部材に邪魔されずに接客操作部を前面側に開いて、メンテナンスや徴収した料金の回収等を支障無く行うことを可能にする。
【００１２】
また、上記（１）で述べた請求項１に係る手段によれば、ベース体に設けたスライドレールを利用して重量のあるチケット取扱い機を狭い建家等の内部に於いて簡単に、且つ、極めて円滑に前後に移動することができると共に、固定部材を用いてチケット取扱い機を前後の接客位置と後退位置とに切換えて固定することによって、利用客によるチケットの取扱いと料金の精算作業、及び、接客部を開いて行うメンテナンスや料金の回収作業の夫々を、チケット取扱い機を無暗に移動させることなく安定した状態で行うことを可能にする。
【００１３】
また、上記（１）で述べた請求項１に係る手段によれば、車輪を利用してベース体を任意の場所に移動できるため、ベース体とチケット取扱い機とを一体、又は、別々に移動することによって、チケット取扱い機を任意の施設内や離隔部材の内側に移動して据え付けることができると共に、レイアウトの変更等に応じて更に再移動することも可能にする。
【００１４】
更に上記（１）で述べた請求項１に係る手段によれば、補助板によってベース体と、これに搭載した背丈が高くて安定性が悪いチケット取扱い機を、転倒させることなく安定した状態で利用客に利用させたり、移動搬送したりすることを可能にすると共に、上記（２）で述べた請求項２に係る手段によれば、アンカーボルトによってベース体を固定することによって、使用時の安定性を更に高めることを可能にする。
【００１５】
【発明の実施の形態】
以下に、上述した本発明に係るチケット取扱い装置の実施の形態を図面と共に説明すると、図１は本発明の正面図、図２は各種建家の窓枠部分の内側に設置した本発明の使用例を説明した側面図であって、図中、符号１で全体的に示したのは例えば券売機や自動料金精算機等のような各種構造のチケット取扱い機、２はその上部前面に設けた開閉扉構造の接客操作部で、使用時には閉じた状態にロックされるこの接客操作部２の前面には、各種の押釦スイッチ３…や、コイン及び紙幣等の投入口４、並びに、チケットや釣銭、領収証等の取出口５と言ったチケットを発行したり、チケットを用いて料金を精算したりするための各種のチケット取扱い用の接客装置や部材が設けられ、更に、開閉用の把手６が設けられている。
【００１６】
７は、上記のチケット取扱い機１をその上面部に移動自在に搭載するベース体で、底面に設けた車輪７Ｒ…によって任意の場所に移動して設置できるように構成したこのベース体７は、使用時には、利用客用通路や駐車場の入出庫通路に面して設けられている各種建家１２（施設等）の窓１１Ｗや、これ等通路と設置場所とを隔てる背丈の低い間仕切りや、ブロック塀等のような離隔部材１１の内側の床面、又は、路面上に近接させて設置される仕組に成っている。
【００１７】
また、このベース体７の左右両側には、上記の各図並びに図３に示した要部の拡大図、或は、使用時の側面図と平面図を示した図４、図５に記載の如く、断面Ｌ字状の取付プレート７Ａ，７Ａを用いて左右のスライドレール９，９が平行に取付けられていて、これ等左右のスライドレール９，９の間に保持された上記のチケット取扱い機１が、左右のスライドレール９，９にガイドされてベース体７上を図２並びに図４に示すように前後方向に進退移動（往復移動）できるように保持されている。
【００１８】
図１に示したＦ視部分を拡大して示した図３に於いて、符号９で全体的に示されている上記左右のスライドレールは、図示したように夫々取付プレート７Ａの内側面に固定されたキヤビネットメンバー９′と、上記チケット取扱い機１の外側面、又は、このチケット取扱い機１の底面に取付けたスペースブロック１Ｔの外側面に取付けたドロワーメンバー９Ｂと、これ等キヤビネットメンバー９′とドロワーメンバー９Ｂの間に介在される中間メンバー９Ａとによって構成されていて、各メンバー９′，９Ａ，９Ｂの間に介在された多数のボールベアリングの転動作用によって、比較的重量のあるチケット取扱い機１であっても、これを少い力で簡単に進退移動できるように構成されている。
【００１９】
更に図中、７Ｔはベース体７の前縁部に設けたストッパー、１Ｓはチケット取扱い機１の背面側に設けた移動用把手、１Ｋは同じくチケット取扱い機１の背面下側部に設けた固定具であって、この固定具１Ｋを前記ベース体７の上面の所定位置に設けた係止孔７Ｋ…に差込むことにより、ベース体７の上面部に進退移動自在に搭載したチケット取扱い機１を、図２に示したように建家１２の窓１１Ｗの内側、又は、離隔部材１１の内側に近接する接客位置と、図４並びに図５に示すように接客操作部２を前面側に開いても上記の窓１１Ｗ又は離隔部材１１に当ることがなく、接客操作部２を自由に開閉作動することができる後退位置とに夫々係止できるように構成されている。
【００２０】
尚、図２に示すようにチケット取扱い機１を接客位置に前進移動して係止した時は、接客操作部２がガラス戸やシヤッター等を開いた窓１１Ｗの部分に突出するか、又は、離隔部材１１の上側部に突出して、矢印ＫＹの方向から行う利用客のチケット操作がやりやすいように成っている。
【００２１】
更に上記ベース体７の両側面には、断面略Ｌ字状に形成した補助板８，８が、複数の取付位置調節ボルト１０…、又は、ナットを用いて高さ調節自在に取付けられていて、ベース体７の設置位置を決める時は、これ等ボルト１０…又はナットを緩めて補助板８，８を各長孔８Ａ…に沿って下方にスライドして固定した後、図６に示すように各補助板８，８の底板に設けた固定穴８Ｂ…にアンカーボルトＡＴ…を挿通してナット締めすれば、ベース体７を図２や図４、図５に示した窓１１Ｗや離隔部材１１の内側床面上、或は、路面上に固定できる仕組に成っている。
【００２２】
而して、図２と図４、図５に於いて、１１Ｈは窓１１Ｗの枠１１Ｒやレールを取付けた建家１２の鴨居を示す。尚、図面には離隔部材１１の上側部に窓１１Ｗを一体的に設けたものが記載されているが、これは便宜的に一緒に記載したものであって、離隔部材１１の内側にベース体７を設置する場合は、離隔部材１１のみが利用客の通路、又は、駐車場の入出庫通路に面した状態で、上記ベース体７とこれ等通路とを隔てるように存在するものであって、図示したように上側部に窓１１Ｗを設けた建家１２の内側にベース体７を設置する場合は、離隔部材１１に相当する部分が建家１２の壁板や枠板と成るものである。
【００２３】
本発明に係るチケット取扱い装置は以上述べた如き構成であるから、図２の如くベース体７を窓１１Ｗ又は離隔部材１１の内側に近接した床面上や路面上に設置して、これを図６に示すようにアンカーボルトＡＴ…で固定した後、搭載したチケット取扱い機１を前進移動させ、且つ、固定具１Ｋを用いて前面の接客操作部２がガラス戸やシヤッター等を開けた窓１１Ｗの部分、或は、離隔部材１１の上側部に突出又は近接する接客位置に固定すれば、通路側より矢印ＫＹの方向に対して行われる利用客のチケット操作や料金精算操作等の各操作を、窓枠１１Ｒや窓１１Ｗ、或は、ブロック塀等の離隔部材１１に邪魔されることなく、スムーズに行うことができ、また、この操作時にはアンカーボルトＡＴ…が重量のあるチケット取扱い機１の転倒を防止するため、利用客による各種操作を安全に行うことができる。
【００２４】
更に本発明では、前面に設けた接客操作部２を開いてメンテナンスを行ったり、徴収した料金を回収する場合に、チケット取扱い機１を図４、図５の如く後退位置に移動して固定すれば、接客操作部２を窓１１Ｗや離隔部材１１に邪魔されずにスムーズに開閉作動できるため、メンテナンスや料金の回収を狭い建家１２の内部やその他の空間内に於いて容易に行うことができ、更に、レイアウトの変更等によってチケット取扱い機１を別の場所に移動して据え付ける場合は、チケット取扱い機１を搭載した状態のままベース体７を車輪７Ｒ…を利用して任意の場所に移動したり、ベース体７のみを移動することができるため、チケット取扱い機１の移設を極めて簡単に行うことができる。
【００２５】
【発明の効果】
以上述べた次第で、本発明に係るチケット取扱い装置によれば、壁やシャッター或は窓があるような各種施設の内部、又は、低いブロック塀のあるような駐車場等の土地に、チケット取扱い機を利用客が操作し易い状態に、また、メンテナンスや料金の回収等をやりやすい状態に据え付けて使用できるため、チケット取扱い機専用の設置場所や建家類をわざわざ造る必要がなく、既存の施設を利用してチケット取扱い機を手軽にバランス良く設置できる利点を備えるものであって
、転倒等を防止できる安全性を備え、また、任意の場所に移動して設置できる機能性を備える点と相俟って、各種イベント用のチケット販売機や、駐車場の発券機及び料金精算機等に用いて、洵に好適なものである。
【図面の簡単な説明】
【図１】  本発明に係るチケット取扱い装置の正面図である。
【図２】  チケット取扱い機を接客位置にセットして状態を示した側面図である。
【図３】  図１のＦ視部分を拡大して示した要部の構成図である。
【図４】  チケット取扱い機を後退位置にセットした状態を示した側面図である。
【図５】  同じく平面図である。
【図６】  アンカーボルトを用いてベース体を固定した状態を説明した側面図である。
【図７】  従来のチケット取扱い機の設置状態を説明した構成図である。
【符号の説明】
１              チケット取扱い機
１Ｋ            固定具
２              接客操作部
７              ベース体
７Ｒ            車輪
８              補助板
ＡＴ            アンカーボルト
９              スライドレール
１１            離隔部材
１１Ｗ          窓
１１Ｒ          窓枠
１２            建家
【図１】
0003827513.tif 000002
【図２】
0003827513.tif 000003
【図３】
0003827513.tif 000004
【図４】
0003827513.tif 000005
【図５】
0003827513.tif 000006
【図６】
0003827513.tif 000007
【図７】
0003827513.tif 000008